(57)【要約】周囲のトランスデューサ等から信号を受信して再送信し、既存の電気器具とともに機械的かつ電気的に協同する、信号リピータを記載する。一実施形態において、リピータは標準的な電気器具、例えば、ねじ込み式ランプベース（二路又は三路等）や壁面コンセントに対して、機械的かつ電気的に結合する構成とされる。一実施形態では、リピータ装置が１つ以上の蛍光灯を駆動する蛍光灯安定器を含む。【選択図】図８
2008533812.tif 000002
【特許請求の範囲】
【請求項１】
電気器具に取り付けるリピータであって、
前記電気器具から受け取る電力によって充電されるように構成した再充電可能な電源と、
前記再充電可能な電源から受電するように構成したリピータモジュールと、
前記電気器具から電力を受け取るように構成した蛍光灯安定器と、を備えたリピータ。
【請求項２】
前記電気器具がねじ込み式ランプベースを備えた、請求項１に記載のリピータ。
【請求項３】
前記電気器具が二路のランプベースを備えた、請求項１に記載のリピータ。
【請求項４】
前記電気器具が三路のランプベースを備えた、請求項１に記載のリピータ。
【請求項５】
前記電気器具から受けた電力を、前記再充電可能な電源を充電するための電流及び電圧へと変換するように構成した電源部を更に備えた、請求項１に記載のリピータ。
【請求項６】
前記電気器具の機能を維持するための接合部を更に備えた、請求項１に記載のリピータ。
【請求項７】
前記再充電可能な電源が１つ以上の再充電可能な電池を備えた、請求項１に記載のリピータ。
【請求項８】
蛍光灯に接続するためのコネクタを更に備えた、請求項１に記載のリピータ。
【請求項９】
前記安定器と前記リピータモジュールとの間の通信経路を更に備えた、請求項１に記載のリピータ。
【請求項１０】
前記リピータモジュールが、前記安定器を制御するためのコマンドを受信するように構成された、請求項９に記載のリピータ。
【請求項１１】
前記リピータモジュールが、前記安定器からステータス情報を受け取るように構成された、請求項９に記載のリピータ。
【請求項１２】
前記リピータモジュールが、１つ以上のトランスデューサから信号を受信して基地局に該信号を再送信する、請求項９に記載のリピータ装置。
【請求項１３】
前記リピータモジュールが、前記安定器により駆動される蛍光灯について所望の輝度を得るために、前記安定器を制御するように構成された、請求項９に記載のリピータ。
【請求項１４】
出口標識内に挿入するように構成したハウジング部を更に備えた、請求項９に記載のリピータ。
【発明の詳細な説明】
【技術分野】
【０００１】
本出願は「リピータ装置」と題する米国特許出願番号第１０／７１８，３７４号の一部継続出願であって、２００３年１１月１９日に出願され、その全内容を参照としてここに援用する。
【０００２】
本発明は、無線周波数の無線信号システムに関するものであり、より詳しくは、改良されたリピータシステムであって、電球、蛍光灯、回路出力部及びスイッチ、あるいはその他の電気器具のような、一般的な電気装置に対して電力を供給するための、電気的に作動する器具に組み込まれるシステムに関する。
【背景技術】
【０００３】
基地局に対して各種の監視結果を伝えるために信号を送信する遠隔のトランスデューサが、既知のシステムに採用されているが、中央に位置するステーション等の送り先に信号を到達させるための電力が十分でないことがある。１つ又は複数のリピータ（中継装置）は、信号が送り先に到達するまでの間、信号を傍受してそれを増幅し、該信号を再送信する。例えば、遠隔位置にあるトランスデューサは、煙、温度、湿度、風速、及び他の重要な環境パラメータを検出して信号を発する。また、別のトランスデューサは、対象物又は物理的な場所についての状態又は物理的条件を示す信号を提供できる。
【０００４】
居住施設を含む殆どの建物には現在、暖房機器、換気装置、及び空調機器の性能や効率を監視するための検出器と組み合わされたトランスデューサ又はセンサが装備されている。煙感知器に採用されている他のセンサは、煙レベルや温度条件等の、火災を警報する大気パラメータを監視するために用いられる。また別のセンサは、セキュリティ侵害や、他の危険状態又は危機的な状態を知らせるために使用される。
【０００５】
このような検出器は通例、音を出すか視覚による警報を発するようになっているが、支援の要請が可能とされる、中央に位置するステーションにて受信できる信号を、必ずしも検出器が発することを要しない。煙感知器や他の火災センサのようなトランスデューサに付随するリピータ回路は、センサの位置及び監視状態を含む信号を配信するために無線送信機を装備しており、センサと基地局との間の複数のリピータに連動して動作する場合に、火災と判断される状況の変化を基地局に警報する。
【発明の開示】
【発明が解決しようとする課題】
【０００６】
しかしながら、上記のようなリピータ装置に電力を供給する場合に面倒な問題があり、これは、電気取出口（ｏｕｔｌｅｔｓ）を容易に利用できない場合があることに拠る。電源装置、例えば、照明器具、電源出力部（コンセント）等は通常、検出器から比較的近い範囲内に据え付けられており、予め決まった有限の期間中、センター部から電力を受けられるようになっている。例えば、アパートのような、大きな共同住宅では、夜間に面照明が行われ、自然光源から与えられる周辺光が十分にある期間には面照明への電源供給は行われない。
【課題を解決するための手段】
【０００７】
これらの課題及び他の課題は、電源接続部に接続して信号の受信及び再送信を行うリピータとして動作するように構成したリピータ装置によって解決される。一実施形態では、リピータが既存の電気的レセプタクルに設置されることで、監視用の近隣の検出器からの信号を記憶保存し、増幅して、中央に位置するステーション又は他のリピータに送信できる。リピータはコンパクト化でき、レセプタクルからの電力を利用できないときでも、比較的連続して動作することができる。一実施形態では、再充電可能な電源、例えばコンデンサ、再充電可能な電池等が設けられる。リピータ装置に電源が供給される場合に、再充電可能な電源が充電され、該電源は、他の電力が利用できないか又は充分でない場合に、リピータ装置に電源供給を行うために使用される。再充電可能な電源を充電することで、トランシーバによって行われる比較的連続した通信が容易となる。
【０００８】
一実施形態において、リピータ装置は、既存の電球ソケットと結合するように設計され、電球とソケットとの間にリピータ装置を介挿できる。また、リピータ装置が電球ソケットを含むので、該リピータ装置の取付において、ソケットから電球を外し、リピータ装置を挿入し、リピータ装置のソケットに電球を戻すことが必要である。昼間には、電球が給電されず、基地局のような中央位置へとセンサ情報を中継するために、リピータ装置の再充電可能な電池によって、リピータ装置が動作可能となる。夕方には照明器具への給電がなされ、リピータ装置に給電されて、電池が再充電される。これによって、リピータ装置は、電球ソケット又は他のレセプタクルからの電力が利用できなくなった場合でも、継続的に動作する。
【０００９】
他の実施形態では、リピータ装置が蛍光灯器具に取り付けられ、電源ラインに接続される。また、別の実施形態において、リピータ装置は、出口標識やスイッチにさえ設置可能である。更に別の実施形態では、リピータ装置が電源出力部に組み込まれ、この場合に電力が当該装置に供給されるとともに、電池は、設備への電源喪失が起きた場合のバックアップとして援護する。
【００１０】
本発明をより深く理解するために、以下に示す添付図面を参照する。
【発明を実施するための最良の形態】
【００１１】
図１は、電気照明用ソケット１４に取り付けられるように構成したリピータを示す。図１において、リピータ装置１０は、ハウジング部１２を有しており、これには第１の接合部１６が取り付けられている。尚、この接合部は電気照明用ソケット１４に機械的に係合されかつ電気的に接続されるようになっている。リピータ装置１０は更に、該リピータ装置１０への電源供給を行うために第１の電源部２２を有する。一実施形態において、電気照明用ソケット１４はカンデラブラ（ｃａｎｄｅｌａｂｒａ：枝付き燭台）ソケットであり、第１の接合部１６は、該カンデラブラソケットに嵌合する構成とされる。注意すべきは、電気照明用ソケット１４が、電源供給を行う第２の電源部４８に対して電気的に接続されることである。一実施形態において、電気照明用ソケット１４は、リピータ装置１０が取り付けられた場合に既存の機能を維持する。更には、本実施形態において、第１の接合部１６は標準的なカンデラブラベースであって、カンデラブラソケットに、機械的かつ電気的に結合する。更に注意すべきは、第１の接合部１６が、電気的レセプタクルと結合する如何なる機械的構造でも構わないことである。また電気照明用ソケット１４については、電源出力部、電気的レセプタクル、電気器具、電源供給器具、既存の器具、電気的に作動する器具、付属品又は第２の電源部４８に関連する備品であってもよい。
【００１２】
ハウジング部１２は更に遮熱材１１を有することができる。この遮熱材１１は、電球１８が給電されたときに、その光に対する反射鏡の役目を果たす。なお、図には電球１８が白熱電球として描かれているが、蛍光灯や蛍光管、ネオンライトやネオン管、他の光源等の照明器具、あるいは一般的な電気装置とともに用いるように設計されたリピータが本発明の趣旨及び範囲に含まれることに留意されたい。またハウジング部１２は、ハウジング内壁２０と第１の電源部２２を有しており、該第１の電源部２２が、ハウジング内壁２０と遮熱材１１との間に取り付けられている。ハウジング部１２には、無線信号を送信しかつ受信するアンテナ２４が取り付けられている。このアンテナ２４はモノポールアンテナとして図示しているが、無線信号を受信し、かつ送信する如何なるデバイスでもよい。アンテナ２４は、ハウジングの外部に示しているが、当業者には分かるように、アンテナ２４をハウジングに適合させるか及び／又はハウジングに内蔵することもできる。リピータモジュール２６が、ハウジング内部の底に位置しているのに対し、第２の回路基板３４は第２の接合部１７に接続されており、この接合部は、電球１８のような光源を挿入できるようになっている。そして、第２の接合部１７は、第２の電源部４８に対して電気的に接続されている。一実施例において、リピータモジュール２６は、トランシーバ回路部２８を含む。また、第１の電源部２２は、再充電可能な電力貯蔵モジュールを含むことができ、該電源部が再充電可能な電力貯蔵セル及びパワーリチャージャ（充電装置）を有する場合に、トランシーバ回路部２８に対して所望の動作点を設定して電力を供給する。
【００１３】
図２Ａ及び図２Ｂを参照すると、これらのブロック図にはリピータモジュール２６が示されている。一実施形態において、第１の電源部２２は再充電可能なバッテリモジュールであり、これには再充電可能な電池２７及びバッテリチャージャ４６が含まれる。注意すべきは、第１の電源部２２が、ニッケルカドミウム電池やリチウムイオン電池、再充電可能な電力貯蔵モジュール等の任意の蓄電デバイスであってもよいし、あるいは、電気的エネルギーを供給する如何なるデバイスでもよいことである。また、パワーリチャージャについては、ソーラーパネルアレイ、変圧器、電気的な回路基板、その他の電気回路のように、再充電可能な電力貯蔵セルを充電可能な任意のデバイスを使用できることにも注意を要する。第２の電源部４８は、電気照明用ソケット１４からのエネルギー源である。第２の電源部４８は、バッテリチャージャ４６に電気エネルギーを供給する。そしてバッテリチャージャ４６は、第２の電源部４８からの電力が利用可能である場合、つまり電源供給を行える場合に、トランシーバ回路部２８への電源供給を行い、再充電可能な電池２７を充電する。第２の電源部４８が利用可能でなく、電源供給ができない場合、つまり接合部１６への電源供給が断たれている場合には、第１の電源部２２がリピータ装置１０への電源供給を行う。
【００１４】
リピータモジュール２６は、第１のシステム及び第２のシステムを更に含む。先ず、第１のシステムには、トランシーバ回路部２８と、受信した信号の強度インジケータ３１と、ディスプレイ３８が含まれる。また、第２のシステムには、マイクロコントローラ部４０と、メモリストレージ部３２と、データ通信ポート４２が含まれる。一実施形態において、トランシーバ回路部２８は、Ｔｅｘａｓ  Ｉｎｓｔｒｕｍｅｎｔｓ社製の部品番号ＴＲＦ６９０１のＲＦトランシーバ回路である。但し、トランシーバ回路部２８には、電気信号を受信しかつ送信する、同様の送受信回路であれば、如何なる回路を用いても構わない。本実施形態では、トランシーバ回路部２８がアンテナ２４から少なくとも１つの電気信号を受信する。この信号は、無線周波数（ＲＦ）又はマイクロ波又はミリ波の信号である。信号はトランスデューサ２３から発し、該トランスデューサは、例えば、アパートやオフィスビル等の建物に置くことができ、煙指数、粒子状物質、水分、湿度、圧力、又は温度のような環境パラメータを測定する。別例としては、トランスデューサ２３を、出口標識、火災報知器、空調ユニット、又はその他の場所に配置でき、そこで環境パラメータを監視して、その情報を別の場所、例えば、リピータや基地局に送信することをユーザから要請される。
【００１５】
トランシーバ回路部２８が、計測された環境パラメータを示す信号を受信して処理した後で、該信号はマイクロコントローラ部４０に対して送出される。一実施形態において、該マイクロコントローラは、Ｘｉｌｉｎｉｘ社製の部品番号ＸＥ２Ｓ１００Ｅである。一般に、マイクロコントローラは信号を評価し、そして分類し、該信号をメモリストレージ部３２に記憶させるための代表値へのマッピングを行う。一実施形態では、メモリストレージ部３２がＭｉｃｒｏｃｈｉｐ社製の部品番号９３ＡＡ５６Ａであるが、他のメモリストレージデバイスを代用でき、又は該デバイスを含む。続いて、マイクロコントローラ４０は、トランシーバ回路部２８を介して代表値を返信し、アンテナ２４を介して、中央に位置するステーション、集中データベース・ステーション、別のリピータ装置、又は他の送り先への再送信を行う。
【００１６】
データ通信ポート４２は、制御信号及びデータ信号をマイクロコントローラ４０に送出する。そのような制御信号及びデータ信号は、プログラムや再プログラムを行い、データを入力し、あるいは、マイクロコントローラ４０内に内部的に格納されたデータ又は外部的にメモリストレージ部３２内に格納可能なデータを削除するのに利用される。あるモードでは、アンテナ２４により受信した信号のうちのどれが、トランシーバ回路部２８によって更に処理されるべきであるのかを決定するために、制御信号及びデータ信号によりマイクロコントローラ４０がプログラムされる。また、別のモードでは、メモリストレージ部３２に信号を記憶するために、制御信号及びデータ信号によりマイクロコントローラ４０がプログラムされる。更に別のモードでは、記憶された信号のどれをメモリストレージ部３２から取り出して、それらのうちのどの信号を、トランシーバ回路部２８からアンテナ２４を介して、次のリピータ装置、基地局、中央に位置するステーション、又は集中データベース・ステーションへと送信すべきであるかを選択するために、制御信号によりマイクロコントローラ４０がプログラムされる。
【００１７】
以下の段落に記載するリピータ装置はハード・ワイヤードによる配線式のものではなく、既存のソケットに差し込んで使用するプラグ式のものである。そして、上記した最初の実施形態が電球用のソケットを含み、かつリピータの取付のために電球が外れるようになっているのと同様に、下記に示すリピータは、他の電気器具に使用するためのソケットを有している。
【００１８】
図３は、Ｒ３０−タイプ電球の挿入を可能とし、Ｒ３０−タイプの照明器具に嵌合するように構成したリピータ１０を示す。本実施形態は、リピータ基板２６、アンテナ２４、第１の電源部２２、そして図２Ａ及び図２Ｂにおいて機能的に説明した他の回路部（図示せず）を含む。図１の実施形態との主要な相違点は、本実施形態がＲ３０照明器具に適合することである。
【００１９】
図４Ａは、電球内にパッケージ化されるリピータ１０を示す。本実施形態は、リピータ基板２６、アンテナ２４、第１の電源部２２、そして図２Ａ及び図２Ｂにおいて機能的に説明した他の回路部（図示せず）を含む。図１の実施形態との主要な相違点は、本実施形態においてリピータ装置１０が電球のような外観を呈することである。
【００２０】
図４Ｂは、他の電球と協同する電球形の器具としてのリピータ１０を示す。本実施形態は、リピータ基板２６、アンテナ２４、第１の電源部２２、そして図２Ａ及び図２Ｂにおいて機能的に説明した他の回路部（図示せず）を含む。図１の実施形態との主要な相違点は、本実施形態においてリピータ装置１０が電球のような外観を呈し、別の電球とともに使用されることである。
【００２１】
図５Ａ、図５Ｂは、安定器９を含む蛍光照明器具に組み込まれたリピータ１０を示す。本実施形態は、リピータ基板２６、アンテナ２４、第１の電源部２２、そして図２Ａ及び図２Ｂにおいて機能的に説明した他の回路部（図示せず）を含む。図１の実施形態との主要な相違点は、この代替の実施形態に係るリピータ装置１０及び第１の蛍光灯バルブ２１が標準的な蛍光灯バルブと置換されることである。リピータ装置１０は蛍光照明器具のソケット（図示せず）に取り付けられて、第１の蛍光灯バルブ２１を受け入れるように機械的に構成されたプラグ１９を含み、これは、蛍光照明器具１３の機能を維持するためである。更には、第２の蛍光灯バルブ１５が蛍光照明器具１３に嵌め込まれることにより、照明が更に明るくなる。次の２段落に説明するリピータ装置は、ハード・ワイヤー式のものでなく、既存のソケットプラグに差し込んで用いるものである。そして、上記した最初の実施形態が電球用のソケットを含み、かつリピータの取付のために電球が外れるようになっているのと同様に、以下に示すリピータは、他の電気器具に使用するためのソケットを有している。そしたまた、取付については上記に説明した通りに記載できる。
【００２２】
図６は、商用電源出力部６２に組み込まれたリピータの斜視図である。この商用電源出力部６２は電気取出口（コンセント）であるが、電気エネルギー源を提供する任意の出力端であってもよい。特に、商用電源出力部のリピータ装置６０（図示せず）は、プラスティック製ハウジング５８内に据え付けられる。更に、商用電源出力部のリピータ装置６０（図示せず）は、アウトレット・リピータアンテナ５６を含んでおり、これを用いて、電気信号を、リピータ、基地局、またはその他の宛先、例えば、中央に位置するデータセンターから受信し、また、電気信号を、リピータ、基地局、又はその他の送信先、例えば、中央に位置するデータセンターに向けて送信する。但し、本明細書に記載される他の実施形態との主要な相違点は、本実施形態が、電気照明レセプタクルへの挿入に代わって、既存の電気的なアウトレット（コンセント）又はソケットに差し込まれることである。
【００２３】
図７を参照すると、これは図６の商用電源出力部６２を部分的に切断し、かつ部分的に透視して示すものである。本実施形態では、商用電源出力部６２内に商用電源出力部のリピータ装置６０が収容されており、図２Ａ及び図２Ｂに示したのと同様の機能的な特徴及び主要な要素を有する。特に、商用電源出力部のリピータ装置６０は、以下の構成要素を含む。
プラスティック製ハウジング５８（図３参照）。
商用電源出力部６２（機能的には第２の電源部４８と等価である）。
アウトレット・バッテリ６４（機能的には第１の電源部２２と等価である）。
トランシーバ／リピータのプリント回路基板６６（機能的にはＲＦ回路基板２６と等価である）。
そして、アウトレット・リピータのサービス・アンテナ５６（機能的にはアンテナ２４と等価である）。
商用電源出力部のリピータ装置６０は、商用電源出力部６２が電力を供給しない期間、例えばヒューズが切れるか又は電力を利用できない場合に、アウトレット・バッテリ６４から電力を取り出す。商用電源出力部６２が電圧を印加され、すなわち電源供給を行える期間中、商用電源出力部のリピータ装置６０は、アウトレット・バッテリ６４を充電し、商用電源出力部のリピータ装置６０に電源供給を行う。部品選択については、任意のハウジング部が可能なプラスティック製ハウジングと、任意のワイヤー配線での電気的レセプタクルが可能な商用電源出力部と、任意の再充電可能な蓄電装置が可能なアウトレット・バッテリを含む単なる例示であることに注意を要する。
【００２４】
更に、図６に示す別の実施形態において、リピータ装置は既存の電気的な出力端にハード・ワイヤー式で配線されるものであってもよい。本実施形態において、その構成要素の機能は、上記した実施形態について説明した機能と同じであるが、その取り付け方が異なり、既存の壁面の出力プラグを部分的に又は完全に取り外し、該既存の壁面のアウトレットから分離された既存の配線に対してリピータ装置を電気的に接続してから、これを、既存の壁面のアウトレットが付設された表面に取り付ける必要がある。
【００２５】
また、図６に示す別の実施形態において、リピータ装置は、建物の装備品に置き換えられるように変更が加えられ、この場合に当該建物の装備品の機能が維持される。建物の装備品とは、例えば、天井タイル、暖房及び換気及び空調（ＨＶＡＣ：Ｈｅａｔｉｎｇ  ａｎｄ  Ｖｅｎｔｉｌａｔｉｏｎ  ａｎｄ  Ａｉｒ  Ｃｏｎｄｉｔｉｏｎｉｎｇ）のグリル、天井スピーカー、天井スピーカータイル、建物の壁面に付設されたスピーカーグリル又はスピーカー等である。本実施形態において、第１の電源部は、リピータ装置に対してのみ電力を与える電源とされる。あるいは本実施形態の代替例として、第１及び第２の電源部がともにリピータ装置に電力を供給してもよい。更には、本実施形態において、その取り付け方が上述した図６の場合とは異なり、既知の建物の装備品を取り外し、それからリピータ装置を取り付けることで、建物の装備品と置き換えられるようにしてもよい。
【００２６】
図８は、ねじ込み式のランプ器具に組み込まれるとともに、蛍光灯用安定器８０１のモジュールを含むリピータ８００を示す。リピータ装置８００は、リピータモジュール２６、アンテナ２４、及び電源部２２を含む。コネクタ８０２は、蛍光灯８１０との接続用に設けられる。蛍光灯８１０は、一例として図８に示しているが、これに限定されない。リピータ装置８００は、接合部１６を通して電源と結合する。一実施形態では、接合部１６が、二路のねじ込み式ランプベースと結合するように構成される。一実施形態では、接合部１６が、三路のねじ込み式ランプベースと結合するように構成される。一実施形態では、接合部１６が、電気取出口と結合するように構成される。
【００２７】
図９は、リピータ装置８００のブロック図９００である。投入電力は、接合部１６から、任意選択でのサージ・プロテクタ９０１へと供給される。サージ・プロテクタ９０１から出力される電力は、安定器８０１及びリピータモジュール２６に供給される。サージ・プロテクタ９０１を省略する場合には、接合部１６からの投入電力が安定器８０１及びリピータモジュール２６に供給される。安定器８０１から出力される電力は、コネクタ８０２を介してランプ８１０に供給される。当業者であれば分かるように、安定器８０１及びリピータモジュール２６について説明上、別個のモジュールとして示すが、これに限定されない。電源部９０５は、接合部１６から再充電可能な電源部２２に電力を供給するために設けられている。再充電可能な電源部２２からの電力は、リピータモジュール２６に供給される。
【００２８】
一実施形態では、安定器８０１及びリピータモジュール２６が結合して単一のユニットとなる。
【００２９】
一実施形態において、安定器８０１及びリピータモジュール２６は、ある共通の機能を共有する。例えば、一実施形態では、低電圧での共通の低電圧電源が、安定器８０１及びリピータモジュール２６の電源部に設けられる。一実施形態では、任意選択的な通信経路９０２が、安定器８０１とリピータモジュール２６との間に設けられる。一実施形態において、リピータモジュール２６の機能を制御するプロセッサはまた、安定器８０１における選択した機能を制御し、監視するために、制御パス９０２を使用する。一実施形態において、安定器８０１は、ステータス情報及び操作情報をリピータモジュール２６に提供するために、制御パス９０２を使用することで、リピータモジュール２６が安定器のステータス情報（例えば安定器の故障やランプの故障等）を、監視システムに送信できる。一実施形態において、リピータモジュール２６は、安定器８０１の１つ以上の動作機能（例えばオン／オフ動作機能、調光機能等）を制御するために、通信経路９０２を使用するように構成される。一実施形態において、リピータモジュール２６は、無線周波数での通信によって、該リピータモジュール２６が受信したコマンドに従って、安定器８０１を制御する。
【００３０】
一実施形態では、接合部１６が、三路のランプベース、つまり、共通リード、「ハイ（高圧）」リード、及び「ロー（低圧）」リードを有するランプベースと結合するように構成される。リピータ２６は、ハイリード、ローリードの一方、あるいはその両方から電力を取り出すように構成される。安定器８０１は、ハイリードが駆動される場合に、相対的に明るい光をランプ８１０により与え、ローリードだけが駆動される場合には、相対的に減光された光をランプ８１０によって与えるように構成される。
【００３１】
ブロック図９００と関連して説明したランプ制御部については、図１乃至７に示すリピータ装置と関連して設けることもできる。この場合、安定器８０１は、１つ以上のリレー又は電子スイッチ（例えば、調光回路）で置き換えることができ、これらは、コネクタ１７に対してスイッチング電力を提供するために、リピータモジュール２６によって制御される。
【００３２】
本発明は、上記の開示に記載した特定の実施形態に限定されない。よって、本発明の範囲は、請求項及びその均等物のみにより限定される。
【図面の簡単な説明】
【００３３】
【図１】ランプベースに組み込まれた、リピータを側方から部分的に示す断面図である。
【図２Ａ】図１に示すランプベース内のリピータ用回路のブロック図である。
【図２Ｂ】図１に示すランプベース内のリピータ用回路のブロック図である。
【図３】Ｒ３０照明器具に組み込まれたリピータを示す図である。
【図４Ａ】リピータが電球に組み込まれることを示す図である。
【図４Ｂ】リピータが電球と協同する電球形の器具であることを示す図である。
【図５Ａ】リピータが蛍光照明器具に組み込まれていることを示す図である。
【図５Ｂ】リピータが蛍光照明器具に組み込まれていることを示す図である。
【図６】リピータがコンセントに組み込まれていることを示す斜視図である。
【図７】図６のコンセントを部分的に断面で示す、部分的な透視図である。
【図８】リピータモジュール及び蛍光灯安定器を含むリピータを示す図である。
【図９】図８に示すリピータ装置のブロック図である。
【図１】
2008533812.tif 000003
【図２Ａ】
2008533812.tif 000004
【図２Ｂ】
2008533812.tif 000005
【図３】
2008533812.tif 000006
【図４Ａ】
2008533812.tif 000007
【図４Ｂ】
2008533812.tif 000008
【図５Ａ】
2008533812.tif 000009
【図５Ｂ】
2008533812.tif 000010
【図６】
2008533812.tif 000011
【図７】
2008533812.tif 000012
【図８】
2008533812.tif 000013
【図９】
2008533812.tif 000014
【手続補正書】
【提出日】平成19年11月14日(2007.11.14)
【手続補正１】
【補正対象書類名】図面
【補正対象項目名】全図
【補正方法】変更
【補正の内容】
【図１】
2008533812.tif 000015
【図２Ａ】
2008533812.tif 000016
【図２Ｂ】
2008533812.tif 000017
【図３】
2008533812.tif 000018
【図４Ａ】
2008533812.tif 000019
【図４Ｂ】
2008533812.tif 000020
【図５Ａ】
2008533812.tif 000021
【図５Ｂ】
2008533812.tif 000022
【図６】
2008533812.tif 000023
【図７】
2008533812.tif 000024
【図８】
2008533812.tif 000025
【図９】
2008533812.tif 000026
【国際調査報告】
2008533812.tif 000027
2008533812.tif 000028
2008533812.tif 000029